(57)【要約】【課題】貨幣処理システムの機内在高を考慮して釣銭準備金として出金される貨幣の金種毎の枚数を柔軟に変更できる貨幣処理システムおよび貨幣処理方法を提供する。【解決手段】貨幣処理システム１は、貨幣を収納する収納部２７、３４、１１５と、釣銭準備金として所定の合計金額の貨幣を出金する際に、収納部２７、３４、１１５に収納されている貨幣の金種毎の枚数に基づいて、出金される貨幣の金種毎の枚数を設定する制御部１５と、を備えている。【選択図】図１
2014026339.tif 000002
【特許請求の範囲】
【請求項１】
少なくとも貨幣の出金処理を行う貨幣処理システムであって、
貨幣を収納する収納部と、
釣銭準備金として所定の合計金額の貨幣を出金する際に、前記収納部に収納されている貨幣の金種毎の枚数に基づいて、出金される貨幣の金種毎の枚数を設定する制御部と、
を備えた、貨幣処理システム。
【請求項２】
貨幣の金種毎の基準枚数を記憶する記憶部を更に備え、
前記制御部は、釣銭準備金として所定の合計金額の貨幣を出金する際に、前記記憶部に記憶された金種毎の基準枚数に係る貨幣を優先して出金し、残りの金額について、前記収納部に収納されている貨幣の金種毎の枚数に基づいて、出金される貨幣の金種毎の枚数を設定するようになっている、請求項１記載の貨幣処理システム。
【請求項３】
前記記憶部に記憶される貨幣の金種毎の基準枚数は変更可能となっている、請求項２記載の貨幣処理システム。
【請求項４】
貨幣の金種の優先順位を記憶する記憶部を更に備え、
前記制御部は、釣銭準備金として所定の合計金額の貨幣を出金する際に、前記記憶部に記憶された貨幣の金種の優先順位も参照して、出金される貨幣の金種毎の枚数を設定するようになっている、請求項１記載の貨幣処理システム。
【請求項５】
前記記憶部に記憶される貨幣の金種の優先順位は変更可能となっている、請求項４記載の貨幣処理システム。
【請求項６】
貨幣の金種毎の基準枚数および貨幣の金種の優先順位をそれぞれ記憶する記憶部を更に備え、
前記制御部は、釣銭準備金として所定の合計金額の貨幣を出金する際に、前記記憶部に記憶された金種毎の基準枚数に係る貨幣を優先して出金し、残りの金額について、前記収納部に収納されている貨幣の金種毎の枚数、および前記記憶部に記憶された貨幣の金種の優先順位に基づいて、出金される貨幣の金種毎の枚数を設定するようになっている、請求項１記載の貨幣処理システム。
【請求項７】
前記記憶部に記憶される貨幣の金種毎の基準枚数および貨幣の金種の優先順位はそれぞれ変更可能となっている、請求項６記載の貨幣処理システム。
【請求項８】
操作部を更に備え、
前記制御部により設定された貨幣の金種毎の枚数を前記操作部により修正することができるようになっている、請求項１乃至７のいずれか一項に記載の貨幣処理システム。
【請求項９】
少なくとも貨幣の出金処理を行う貨幣処理システムによる貨幣処理方法であって、
釣銭準備金として所定の合計金額の貨幣を出金する際に、貨幣処理システムの機体内に収納されている貨幣の金種毎の枚数に基づいて、出金される貨幣の金種毎の枚数を設定する工程を備えた、貨幣処理方法。
【請求項１０】
釣銭準備金として所定の合計金額の貨幣を出金する際に、予め設定された金種毎の基準枚数に係る貨幣を優先して出金し、残りの金額について、貨幣処理システムの機体内に収納されている貨幣の金種毎の枚数に基づいて、出金される貨幣の金種毎の枚数を設定するようになっている、請求項９記載の貨幣処理方法。
【請求項１１】
釣銭準備金として所定の合計金額の貨幣を出金する際に、予め設定された貨幣の金種の優先順位も参照して、出金される貨幣の金種毎の枚数を設定するようになっている、請求項９記載の貨幣処理方法。
【請求項１２】
釣銭準備金として所定の合計金額の貨幣を出金する際に、予め設定された金種毎の基準枚数に係る貨幣を優先して出金し、残りの金額について、貨幣処理システムの機体内に収納されている貨幣の金種毎の枚数、および予め設定された貨幣の金種の優先順位に基づいて、出金される貨幣の金種毎の枚数を設定するようになっている、請求項９記載の貨幣処理方法。
【請求項１３】
設定された貨幣の金種毎の枚数を操作部により修正することができるようになっている、請求項９乃至１２のいずれか一項に記載の貨幣処理方法。
【発明の詳細な説明】
【技術分野】
【０００１】
本発明は、少なくとも貨幣の出金処理を行う貨幣処理システムおよびこのような貨幣処理システムによる貨幣処理方法に関する。
【背景技術】
【０００２】
従来から、飲食店等の店舗において、紙幣や硬貨等の貨幣の入出金処理を行う貨幣入出金機が設置されている。貨幣入出金機としては、例えば特許文献１等に開示されるものが知られている。また、飲食店等の店舗では、紙幣釣銭機および硬貨釣銭機が組み合わせられて一体となった貨幣釣銭機が設置されており、顧客から受け取った紙幣や硬貨を店員が貨幣釣銭機に入金するとともに、釣銭としての紙幣や硬貨が貨幣釣銭機から出金されるようになっている。釣銭準備金および貨幣入出金機が設置された店舗では、営業時間前に、特許文献１等に示すような貨幣入出金機から釣銭準備金としての貨幣を出金し、この釣銭準備金としての貨幣を貨幣釣銭機に補充するようになっている。
【先行技術文献】
【特許文献】
【０００３】
【特許文献１】特開２０１０−２６２５６８号公報
【発明の概要】
【発明が解決しようとする課題】
【０００４】
従来では、貨幣入出金機から釣銭準備金として所定の合計金額の貨幣を出金する際に、出金される貨幣の金種毎の枚数は予め設定されており、１金種でも貨幣入出金機の機内在高（枚数）が設定枚数を下回ると、当該取引およびそれ以降の出金処理を行うことができないようになっていた。そこで、貨幣入出金機から釣銭準備金として所定の合計金額の貨幣を出金する際に、当該貨幣入出金機の機内在高を考慮して、釣銭準備金として出金される貨幣の金種毎の枚数を柔軟に変更できることがより望ましい。例えば、貨幣釣銭機において釣銭として頻繁に用いられる１円硬貨、１０円硬貨および１００円硬貨に関して、貨幣入出金機から釣銭準備金としての貨幣を出金する際にこれらの金種の硬貨の機内在高が少ない場合には、当該金種の硬貨についてできるだけ出金枚数を少なくする必要がある。なぜならば、次回以降の釣銭準備金（他の貨幣釣銭機用や売り場用であることが多い）としての貨幣の出金時に、これらの金種の硬貨の出金枚数が不足してしまうことをできるだけ防止しなければならないからである。
【０００５】
また、上述したような問題は、貨幣釣銭機が設置されないで釣銭準備金をＰＯＳレジスタのドロア等で管理するような店舗でも発生している。すなわち、店舗の売り場で用いられる釣銭準備金として所定の合計金額の貨幣を貨幣入出金機から出金する際に、出金される貨幣の金種毎の枚数は予め設定されており、１金種でも貨幣入出金機の機内在高（枚数）が設定枚数を下回ると、当該取引およびそれ以降の出金処理を行うことができないようになっている場合がある。この場合には、特定の金種の貨幣、例えば１円硬貨、１０円硬貨および１００円硬貨が店舗の売り場において例えば釣銭として頻繁に使用される際に、貨幣入出金機から貨幣を出金する際にこれらの金種の硬貨の機内在高が少ないときには、当該金種の硬貨についてできるだけ出金枚数を少なくする必要がある。なぜならば、貨幣入出金機における次回以降の貨幣の出金時に、これらの金種の硬貨の出金枚数が不足してしまうことをできるだけ防止しなければならないからである。
【０００６】
本発明は、このような点を考慮してなされたものであり、釣銭準備金として所定の合計金額の貨幣を出金する際に、機体内に収納されている貨幣の金種毎の枚数に基づいて、出金される貨幣の金種毎の枚数を設定することにより、貨幣処理システムの機内在高を考慮して釣銭準備金として出金される貨幣の金種毎の枚数を柔軟に変更できる貨幣処理システムおよび貨幣処理方法を提供することを目的とする。
【課題を解決するための手段】
【０００７】
本発明は、少なくとも貨幣の出金処理を行う貨幣処理システムであって、貨幣を収納する収納部と、釣銭準備金として所定の合計金額の貨幣を出金する際に、前記収納部に収納されている貨幣の金種毎の枚数に基づいて、出金される貨幣の金種毎の枚数を設定する制御部と、を備えた、貨幣処理システムである。
【０００８】
このような貨幣処理システムによれば、釣銭準備金として所定の合計金額の貨幣を出金する際に、制御部は、貨幣処理システムに収納された貨幣の金種毎の枚数に基づいて、出金される貨幣の金種毎の枚数を設定するようになっている。このため、貨幣処理システムの機内在高を考慮して釣銭準備金として出金される貨幣の金種毎の枚数を柔軟に変更できる。例えば、釣銭として頻繁に用いられる１円硬貨、１０円硬貨および１００円硬貨に関して、貨幣処理システムから釣銭準備金としての貨幣を出金する際にこれらの金種の硬貨の機内在高が少ない場合には、当該金種の硬貨についてできるだけ出金枚数を少なくすることができる。このことにより、次回以降の釣銭準備金としての貨幣の出金時に、これらの金種の硬貨の出金枚数が不足してしまうことを防止することができる。
【０００９】
本発明の貨幣処理システムは、貨幣の金種毎の基準枚数を記憶する記憶部を更に備え、前記制御部は、釣銭準備金として所定の合計金額の貨幣を出金する際に、前記記憶部に記憶された金種毎の基準枚数に係る貨幣を優先して出金し、残りの金額について、前記収納部に収納されている貨幣の金種毎の枚数に基づいて、出金される貨幣の金種毎の枚数を設定するようになっていてもよい。
【００１０】
この際に、前記記憶部に記憶される貨幣の金種毎の基準枚数は変更可能となっていてもよい。
【００１１】
本発明の貨幣処理システムは、貨幣の金種の優先順位を記憶する記憶部を更に備え、前記制御部は、釣銭準備金として所定の合計金額の貨幣を出金する際に、前記記憶部に記憶された貨幣の金種の優先順位も参照して、出金される貨幣の金種毎の枚数を設定するようになっていてもよい。
【００１２】
この際に、前記記憶部に記憶される貨幣の金種の優先順位は変更可能となっていてもよい。
【００１３】
本発明の貨幣処理システムは、貨幣の金種毎の基準枚数および貨幣の金種の優先順位をそれぞれ記憶する記憶部を更に備え、前記制御部は、釣銭準備金として所定の合計金額の貨幣を出金する際に、前記記憶部に記憶された金種毎の基準枚数に係る貨幣を優先して出金し、残りの金額について、前記収納部に収納されている貨幣の金種毎の枚数、および前記記憶部に記憶された貨幣の金種の優先順位に基づいて、出金される貨幣の金種毎の枚数を設定するようになっていてもよい。
【００１４】
この際に、前記記憶部に記憶される貨幣の金種毎の基準枚数および貨幣の金種の優先順位はそれぞれ変更可能となっていてもよい。
【００１５】
本発明の貨幣処理システムは、操作部を更に備え、前記制御部により設定された貨幣の金種毎の枚数を前記操作部により修正することができるようになっていてもよい。
【００１６】
本発明は、少なくとも貨幣の出金処理を行う貨幣処理システムによる貨幣処理方法であって、釣銭準備金として所定の合計金額の貨幣を出金する際に、貨幣処理システムの機体内に収納されている貨幣の金種毎の枚数に基づいて、出金される貨幣の金種毎の枚数を設定する工程を備えた、貨幣処理方法である。
【００１７】
このような貨幣処理方法によれば、釣銭準備金として所定の合計金額の貨幣を出金する際に、貨幣処理システムに収納された貨幣の金種毎の枚数に基づいて、出金される貨幣の金種毎の枚数を設定するようになっている。このため、貨幣処理システムの機内在高を考慮して釣銭準備金として出金される貨幣の金種毎の枚数を柔軟に変更できる。
【００１８】
本発明の貨幣処理方法においては、釣銭準備金として所定の合計金額の貨幣を出金する際に、予め設定された金種毎の基準枚数に係る貨幣を優先して出金し、残りの金額について、貨幣処理システムの機体内に収納されている貨幣の金種毎の枚数に基づいて、出金される貨幣の金種毎の枚数を設定するようになっていてもよい。
【００１９】
あるいは、釣銭準備金として所定の合計金額の貨幣を出金する際に、予め設定された貨幣の金種の優先順位も参照して、出金される貨幣の金種毎の枚数を設定するようになっていてもよい。
【００２０】
あるいは、釣銭準備金として所定の合計金額の貨幣を出金する際に、予め設定された金種毎の基準枚数に係る貨幣を優先して出金し、残りの金額について、貨幣処理システムの機体内に収納されている貨幣の金種毎の枚数、および予め設定された貨幣の金種の優先順位に基づいて、出金される貨幣の金種毎の枚数を設定するようになっていてもよい。
【００２１】
本発明の貨幣処理方法においては、設定された貨幣の金種毎の枚数を操作部により修正することができるようになっていてもよい。
【発明の効果】
【００２２】
本発明の貨幣処理システムおよび貨幣処理方法によれば、貨幣処理システムの機内在高を考慮して釣銭準備金として出金される貨幣の金種毎の枚数を柔軟に変更できる。
【図面の簡単な説明】
【００２３】
【図１】本発明の第１の実施の形態における貨幣処理システムの構成を示す斜視図である。
【図２】図１に示す貨幣処理システムの機能ブロック図である。
【図３】図１に示す貨幣処理システムにおける貨幣処理機の紙幣処理装置の構成の概略を示す概略構成図である。
【図４】図１に示す貨幣処理システムにおける貨幣処理機の硬貨処理装置の構成の概略を示す概略構成図である。
【図５】図１に示す貨幣処理システムにおける貨幣処理機の機能ブロック図である。
【図６】図１に示す貨幣処理システムにおける棒金収納庫の構成を示す斜視図である。
【図７】図６に示す棒金収納庫において、筐体からドロアを引き出したときの状態を示す斜視図である。
【図８】本発明の第２の実施の形態における貨幣処理システムの機能ブロック図である。
【図９】本発明の第３の実施の形態において、貨幣入出金機の表示部に表示される機能選択画面を示す図である。
【図１０】本発明の第４の実施の形態において、釣銭準備金として出金される紙幣や硬貨の金種毎の枚数の設定方法を示す表である。
【発明を実施するための形態】
【００２４】
〔第１の実施の形態〕
以下、図面を参照して本発明の第１の実施の形態について説明する。図１乃至図７は、本実施の形態に係る貨幣処理システムを示す図である。このうち、図１は、本実施の形態における貨幣処理システムの構成を示す斜視図であり、図２は、図１に示す貨幣処理システムの機能ブロック図である。また、図３は、図１に示す貨幣処理システムにおける貨幣処理機の紙幣処理装置の構成の概略を示す概略構成図であり、図４は、図１に示す貨幣処理システムにおける貨幣処理機の硬貨処理装置の構成の概略を示す概略構成図である。また、図５は、図１に示す貨幣処理システムにおける貨幣処理機の機能ブロック図である。また、図６は、図１に示す貨幣処理システムにおける棒金収納庫の構成を示す斜視図であり、図７は、図６に示す棒金収納庫において、筐体からドロアを引き出したときの状態を示す斜視図である。
【００２５】
まず、本実施の形態による貨幣処理システム１の全体構成について図１および図２を用いて説明する。なお、図１および図２に示すような本実施の形態による貨幣処理システム１は、例えば飲食店等の店舗の事務所に設置されている。また、飲食店等の店舗では、紙幣釣銭機および硬貨釣銭機が組み合わせられて一体となった貨幣釣銭機（図示せず）が設置されており、顧客から受け取った紙幣や硬貨を店員が貨幣釣銭機に入金するとともに、釣銭としての紙幣や硬貨が貨幣釣銭機から出金されるようになっている。本実施の形態による貨幣処理システム１および釣銭準備金が設置された店舗では、営業時間前に、貨幣処理システム１から釣銭準備金としての貨幣を出金し、この釣銭準備金としての貨幣を貨幣釣銭機に補充するようになっている。また、営業時間後に、店舗における売上金としての貨幣を貨幣釣銭機から取り出し、貨幣処理システム１に入金するようになっている。
【００２６】
図１に示すように、本実施の形態による貨幣処理システム１は、貨幣の入出金処理を行う貨幣入出金機１０と、所定枚数（例えば、５０枚）の硬貨を棒状に包装した棒金硬貨を収納する３つの棒金収納庫１１０、１２０、１３０と、を備えている。より詳細には、３つの棒金収納庫１１０、１２０、１３０はそれぞれ支持ラック１００により一体的に支持されており、縦に積み重ねられた状態で貨幣入出金機１０の上方に配置されるようになっている。
【００２７】
図１に示すように、貨幣入出金機１０は略直方体形状の筐体１１を備えており、この筐体１１には、貨幣入出金機１０を前方から見て上部右側に配置された紙幣処理装置２０と、貨幣入出金機１０を前方から見て上部左側に配置された硬貨処理装置３０とがそれぞれ設けられている。また、貨幣入出金機１０の筐体１１において、紙幣処理装置２０および硬貨処理装置３０の下方には、硬貨および紙幣の収納を行う貨幣収納部４０が設けられている。
【００２８】
本実施の形態の貨幣処理システム１では、貨幣入出金機１０により、当該貨幣入出金機１０および各棒金収納庫１１０、１２０、１３０の両方の操作を行うことができるようになっている。より詳細には、図２に示すように、３つの棒金収納庫１１０、１２０、１３０および１つの貨幣入出金機１０が直列に通信接続されており、この貨幣入出金機１０により各棒金収納庫１１０、１２０、１３０に対して指令を与えることにより、各棒金収納庫１１０、１２０、１３０における筐体１１２からのドロア１１４の引き出しを許容したり禁止したりするようになっている。ここで、３つの棒金収納庫１１０、１２０、１３０および１つの貨幣入出金機１０を直列に通信接続することによって、貨幣入出金機１０における通信用の接続端子の数を１つとすることができる。また、図１および図２に示すように、３つの棒金収納庫１１０、１２０、１３０が直接に通信接続されているため、貨幣処理システム１において棒金収納庫の増設を行ったり棒金収納庫の数を減らしたりすることが可能となる。なお、各棒金収納庫１１０、１２０、１３０の構成の詳細については後述する。
【００２９】
次に、貨幣入出金機１０における紙幣処理装置２０、硬貨処理装置３０および貨幣収納部４０の各構成要素の詳細について説明する。
【００３０】
まず、紙幣処理装置２０の構成について図１および図３を用いて説明する。図１および図３に示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣や出金紙幣を紙幣処理装置２０の外部に返却する紙幣返却口２３とを備えている。また、図３に示すように、紙幣処理装置２０の内部には、紙幣投入口２１に投入された紙幣を紙幣処理装置２０内で搬送する搬送部２５が設けられている。
【００３１】
紙幣投入口２１は、操作者により１または束状態の複数の紙幣が短手方向に一括して投入されるよう構成されている。紙幣投入口２１には紙幣ステージ２８（図５参照、図１および図３では図示せず）が配設されており、この紙幣ステージ２８は、待機時には上昇位置にありこの際には操作者は紙幣投入口２１に紙幣を投入することができず、一方、紙幣の入金処理時には下降して操作者が紙幣投入口２１に紙幣を投入することができるように構成されている。また、図３に示すように、紙幣投入口２１は搬送部２５に接続されており、紙幣投入口２１に投入された１または束状態の複数の紙幣は、１枚ずつ搬送部２５で搬送されるようになっている。また、紙幣リジェクト口２２は、図３に示すように搬送部２５に接続されており、紙幣投入口２１により紙幣処理装置２０内に取り込まれた紙幣のうち後述する識別部２６によりリジェクトすべき紙幣であると識別された紙幣や識別部２６で識別することができなかった紙幣が搬送部２５から送られるようになっている。操作者はこの紙幣リジェクト口２２に送られた紙幣を取り出すことができるようになっている。
【００３２】
紙幣返却口２３には、図３に示すように、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、紙幣保留部２９の装置前面側の壁面が開いて、操作者は扉２４から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣収納カセット４１（後述）に送られる場合もある。
【００３３】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図３に示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。また、搬送部２５には、当該搬送部２５で搬送される紙幣の識別を１枚ずつ行う識別部２６が介設されている。この識別部２６は、搬送部２５で搬送される紙幣の金種、真偽、正損等を識別するようになっている。識別部２６による紙幣の識別結果は後述する制御部１５に送られるようになっている。
【００３４】
紙幣処理装置２０の内部には、リサイクル式紙幣収納部２７が複数（例えば３つ）並列に設けられている。ここで、複数のリサイクル式紙幣収納部２７ａ〜２７ｃは、概して金種別に紙幣を一時的に収納するようになっている。図３に示すように、各リサイクル式紙幣収納部２７は、正逆両方向に回転可能なドラム２７ｐをそれぞれ有しており、各ドラム２７ｐに一対のテープが巻き付けられている。そして、紙幣を搬送部２５から各リサイクル式紙幣収納部２７に送り込みながらドラム２７ｐを正転させると、当該紙幣は順次ドラム２７ｐに巻き取られる。一方、ドラム２７ｐを逆転させると当該ドラム２７ｐに巻き取られていた紙幣が１枚ずつ搬送部２５へ送り出される。なお、各リサイクル式紙幣収納部２７は、上述のような、ドラム２７ｐおよび一対のテープからなり紙幣が一対のテープの間に挟まれた状態でこの一対のテープごとドラム２７ｐにより巻き取られるような構成に限定されることはなく、他の構成とすることもできる。例えば、各リサイクル式紙幣収納部２７をスタッカ式（積層式）のものとしてもよい。
【００３５】
紙幣保留部２９は、前述のように紙幣返却口２３に設けられており、図３に示すように搬送部２５に接続されている。この紙幣保留部２９には、紙幣投入口２１に投入された紙幣や、各リサイクル式紙幣収納部２７に収納された紙幣が搬送部２５により送られるようになっており、搬送部２５から送られた紙幣を束状態で複数保留することができるようになっている。ここで、紙幣保留部２９にある紙幣を返却する場合には、前述のように、紙幣保留部２９の装置前面側の壁面が開いて、操作者は扉２４から紙幣を取り出すことができるようになっている。扉２４は、紙幣の取り出しが可能な状態になれば、自動的に開くようになっている。また、紙幣保留部２９に紙幣が保留される際に、紙幣は一時保留板に載せられるようになっており、紙幣保留部２９にある紙幣を紙幣収納カセット４１に収納させる際には、この紙幣収納カセット４１に設けられたステージが紙幣保留部２９の一時保留板に載せられた紙幣を迎えにいき、一時保留板が退避して紙幣が落下すると、紙幣をステージ上に載せて紙幣保留部２９から紙幣収納カセット４１へ下降し、そしてステージ上の紙幣を上から押さえ部材で押さえて紙幣収納カセット４１へ収納するようになっている。
【００３６】
次に、硬貨処理装置３０の構成について図１および図４を用いて説明する。図１および図４に示すように、硬貨処理装置３０は、当該硬貨処理装置３０内への硬貨の取り込みを行う硬貨投入口３１と、硬貨処理装置３０内に取り込まれた硬貨のうち後述する識別部３５ａにより識別不能な硬貨等のリジェクトを行ったり、硬貨処理装置３０内に取り込まれた硬貨のうち貨幣収納部４０に収納されない硬貨を硬貨処理装置３０の外部に返却したり、出金硬貨を払い出したりする硬貨返却口３２とを備えている。また、図４に示すように、硬貨処理装置３０の内部には、硬貨投入口３１に投入された硬貨を硬貨処理装置３０内で搬送する搬送部３５が設けられている。
【００３７】
硬貨投入口３１は、操作者により１または複数の硬貨が一括して投入されるよう構成されている。この硬貨投入口３１に投入された硬貨は、硬貨処理装置３０の内部に送られるようになっている。硬貨返却口３２は、搬送部３５の下流側端部に接続されており、この搬送部３５から送られた硬貨を貯留するようになっている。操作者はこの硬貨返却口３２に貯留された硬貨を取り出すことができるようになっている。ここで、硬貨返却口３２には、前述のように、硬貨処理装置３０内に取り込まれた硬貨のうち後述する識別部３５ａにより識別不能な硬貨等が送られるとともに、硬貨処理装置３０内に取り込まれた硬貨のうち貨幣収納部４０に収納されない硬貨が送られたり、後述するリサイクル式硬貨収納部３４から繰り出された出金硬貨が送られたりするようになっており、このような硬貨が硬貨返却口３２により硬貨処理装置３０の外部に返却されるようになっている。
【００３８】
図４に示すように、硬貨処理装置３０の内部には硬貨繰出部３３が設けられている。この硬貨繰出部３３は硬貨投入口３１に連通しており、操作者により硬貨投入口３１から投入された硬貨を一時的に貯留するとともに、この貯留された硬貨を後述する搬送部３５に繰り出すようになっている。
【００３９】
搬送部３５は、硬貨処理装置３０の内部で硬貨を１枚ずつ順次搬送する機能を有している。図４に示すように、搬送部３５の上流側端部および下流側端部は、硬貨繰出部３３および硬貨返却口３２にそれぞれ接続されている。また、搬送部３５には、当該搬送部３５で搬送される硬貨の識別を１枚ずつ行う識別部３５ａが介設されている。この識別部３５ａは、搬送部３５で搬送される硬貨の金種や真偽等を識別するようになっている。識別部３５ａによる紙幣の識別結果は後述する制御部１５に送られるようになっている。
【００４０】
硬貨処理装置３０の内部には、筒状の上入れ上出しタイプのリサイクル式硬貨収納部３４が複数（例えば６つ）並列に設けられており、各リサイクル式硬貨収納部３４はそれぞれ鉛直方向に延びるようになっている。ここで、複数のリサイクル式硬貨収納部３４ａ〜３４ｆは、概して金種別に硬貨を積層状態で一時的に収納するようになっている。
【００４１】
図４に示すように、搬送部３５の途中部分には、硬貨繰出部３３から下流側に向かって順に、間隔をおいて７つの選別孔３６が設けられている。ここで、７つの選別孔３６のうち最も上流側にある選別孔３６（オーバーフロー用の選別孔３６）は、搬送部３５から後述する横方向搬送部３８に直接硬貨を送るために設けられている。具体的には、最も上流側にある選別孔３６は、識別部３５ａによる硬貨の識別結果が所定の条件を満たしたときに（例えば、識別部３５ａにより識別された硬貨の金種に対応するリサイクル式硬貨収納部３４が満杯であったときに）、この硬貨を横方向搬送部３８上に送るようになっている。また、上流側から２番目〜７番目の選別孔３６は、それぞれ各リサイクル式硬貨収納部３４ａ〜３４ｆに対応するものである。
【００４２】
図４に示すように、鉛直方向にそれぞれ延びる各リサイクル式硬貨収納部３４の上部には、硬貨を一時的に保留する金種別硬貨一時保留部３９が設けられている。７つの選別孔３６のうち最も上流側にある選別孔３６以外の各選別孔３６を介して搬送部３５から落下した硬貨は、まず金種別硬貨一時保留部３９により一時的に保留されるようになっている。そして、この金種別硬貨一時保留部３９に保留された硬貨が各リサイクル式硬貨収納部３４に収納されるようになっている。また、この金種別硬貨一時保留部３９は投出部材を有しており、この投出部材により、金種別硬貨一時保留部３９に保留された硬貨を後述する横方向搬送部３８上に投げ出すこともできるようになっている。一方、各リサイクル式硬貨収納部３４内に収納された硬貨がこのリサイクル式硬貨収納部３４から取り出される場合には、まずリサイクル式硬貨収納部３４の下部に設けられたステージ（図示せず）が上方に持ち上げられ、ステージ上の硬貨が金種別硬貨一時保留部３９に送られ、そしてこの硬貨は金種別硬貨一時保留部３９の投出部材により横方向搬送部３８上に投げ出されるようになっている。
【００４３】
図４に示すように、硬貨処理装置３０の内部には硬貨保留部３７ａが設けられており、この硬貨保留部３７ａの上部にはシュート３７ｂが設置されている。ここで、後述する横方向搬送部３８からシュート３７ｂの上部に送られた硬貨は、当該シュート３７ｂ内を通過して硬貨保留部３７ａに送られるようになっている。硬貨保留部３７ａに一時的に保留された硬貨は、貨幣収納部４０内に配置された硬貨収納カセット４２（後述）に送られるようになっている。
【００４４】
図４に示すように、硬貨処理装置３０の内部において、鉛直方向にそれぞれ延びる各リサイクル式硬貨収納部３４の近傍には、例えば略水平方向に延びる循環ベルト３８ａを有する横方向搬送部３８が設けられている。循環ベルト３８ａは図４の時計回りおよび反時計回りの両方に循環移動可能となっている。また、横方向搬送部３８の一端は硬貨繰出部３３内に位置しており、横方向搬送部３８の他端はシュート３７ｂの上部の近傍に位置している。ここで、循環ベルト３８ａが図４における反時計回りに回転したときには、横方向搬送部３８上にある硬貨は硬貨繰出部３３に送られるようになっている。一方、循環ベルト３８ａが図４における時計回りに回転したときには、横方向搬送部３８上にある硬貨はシュート３７ｂに送られ、硬貨保留部３７ａで保留されることとなる。
【００４５】
次に、貨幣収納部４０の構成について図１を用いて説明する。図１に示すように、貨幣収納部４０は、貨幣入出金機１０の筐体１１の下部に設けられている。この貨幣収納部４０は、図３および図４に示すように、紙幣を収納する紙幣収納カセット４１、および硬貨を収納する硬貨収納カセット４２を有している。紙幣収納カセット４１には、紙幣処理装置２０の紙幣保留部２９に保留された紙幣が収納されるようになっている（図３参照）。硬貨収納カセット４２には、硬貨処理装置３０の硬貨保留部３７ａに保留された硬貨が収納されるようになっている（図４参照）。そして、例えば売上金の回収業務を委託された警備会社の警備員等の収集特定者によって、貨幣収納部４０の各カセット４１、４２が筐体１１の前面側へ引き出され、この収集特定者が各カセット４１、４２自体を回収するようになっている。
【００４６】
次に、貨幣入出金機１０に設けられた他の様々な機構について説明する。図１に示すように、貨幣入出金機１０の筐体１１の上面には、操作者が貨幣入出金機１０の制御部１５（後述）に対して様々な指令を行うための操作部４５、および貨幣入出金機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣入出金機１０の制御部１５に対して様々な指令を行うことができるようになっている。表示部４４は、例えば液晶ディスプレイ（ＬＣＤ）から構成されている。
【００４７】
また、筐体１１の前面には、貨幣入出金機１０における貨幣の処理内容等を印字するプリンタ４３、および操作者の操作権限の確認を行うためのカードリーダ４６がそれぞれ設けられている。カードリーダ４６は、操作者が携帯するＩＤカードのＩＤ情報の読み取りを行うようになっている。
【００４８】
次に、貨幣入出金機１０における各構成要素の制御を行う制御部１５について図５を用いて説明する。制御部１５は貨幣入出金機１０の筐体１１内に設置されている。
【００４９】
図５に示すように、制御部１５には、紙幣処理装置２０の各構成要素（例えば、搬送部２５、識別部２６、リサイクル式紙幣収納部２７、紙幣ステージ２８、紙幣保留部２９、扉２４等）、硬貨処理装置３０の各構成要素（例えば、硬貨繰出部３３、搬送部３５、識別部３５ａ、横方向搬送部３８、金種別硬貨一時保留部３９を含むリサイクル式硬貨収納部３４、硬貨保留部３７ａ等）、貨幣収納部４０、表示部４４、操作部４５、プリンタ４３、カードリーダ４６、記憶部４７等が接続されている。
【００５０】
制御部１５には、紙幣処理装置２０の識別部２６による紙幣の識別結果や、硬貨処理装置３０の識別部３５ａによる硬貨の識別結果が送られるようになっている。また、制御部１５には、操作部４５からの入力やカードリーダ４６によりカードから読み取られた操作者のＩＤ情報等の情報が送られるようになっている。
【００５１】
また、制御部１５は、貨幣入出金機１０の操作が行われる際は操作部４５やカードリーダ４６から入力された操作者のＩＤ情報をもとに操作者の権限の確認を行う。また、制御部１５は、紙幣処理装置２０や硬貨処理装置３０の各構成要素を制御したり、表示部４４、プリンタ４３等を制御したりするようになっている。
【００５２】
また、図５に示すように、制御部１５には比較手段６０が接続されている。この比較手段６０は、貨幣処理システム１において貨幣の出金処理を行う際に、出金すべき貨幣の金額と、貨幣入出金機１０から出金された貨幣の金額および後述する各棒金収納庫１１０、１２０、１３０から取り出された棒金硬貨の金額の合計額とを比較するようになっている。ここで、出金すべき貨幣の金額とは、後述する出金処理を行う際に、操作者が最初に操作部４５により制御部１５に入力する貨幣の金額のことをいう。
【００５３】
また、制御部１５は、貨幣処理システム１において貨幣の入金処理を行う際に、貨幣入出金機１０に入金された貨幣の金額と、後述する各棒金収納庫１１０、１２０、１３０に入金された棒金硬貨の金額の合計金額を、入金金額として出力する出力手段としても機能するようになっている。出力手段により出力された入金金額は、表示部４４に表示されたり、プリンタ４３により印字されたりするようになる。
【００５４】
また、制御部１５にはインターフェース４８が接続されており、このインターフェース４８を介して制御部１５は後述する各棒金収納庫１１０、１２０、１３０に対して信号の送受信を行うようになっている。
【００５５】
次に、各棒金収納庫１１０、１２０、１３０の構成の詳細について図６および図７を用いて説明する。以下の記載では、３つの棒金収納庫１１０、１２０、１３０を代表して、棒金収納庫１１０の構成について述べる。図６および図７に示すように、棒金収納庫１１０は、略直方体形状の筐体１１２と、筐体１１２に対して引き出し自在に設けられたドロア１１４とを有している。図６は、棒金収納庫１１０の筐体１１２にドロア１１４を完全に収容したときの状態を示し、図７は、棒金収納庫１１０の筐体１１２からドロア１１４を手前側に引き出したときの状態を示している。
【００５６】
図７に示すように、棒金収納庫１１０は、所定枚数（例えば、５０枚）の硬貨を棒状に包装した棒金硬貨をそれぞれ１本ずつ収納可能な複数の棒金収納部１１５が設けられている。また、筐体１１２の前面には電源スイッチカバー１１６が設けられており、この電源スイッチカバー１１６を操作者が指で開くことにより、棒金収納庫１１０の電源スイッチを操作者が操作することができるようになっている。
【００５７】
各棒金収納庫１１０、１２０、１３０において、各棒金収納部１１５に棒金硬貨がそれぞれ収納されているか否かおよび棒金硬貨の金種を検知する棒金硬貨検知部（図示せず）が設けられている。このような棒金硬貨検知部は、例えば各棒金収納庫１１０、１２０、１３０の筐体１１２の前面に設けられており、筐体１１２からドロア１１４を引き出したり筐体１１２にドロア１１４を押し込んだりする度に棒金硬貨検知部によって棒金硬貨の検知が行われるようになっている。あるいは、各棒金収納部１１５に棒金硬貨検知部がそれぞれ設けられており、各棒金収納部１１５に棒金硬貨が収納されると、この棒金収納部１１５に対応する棒金硬貨検知部によって当該棒金硬貨が検知されるようになっていてもよい。
【００５８】
また、各棒金収納庫１１０、１２０、１３０において、通常時は筐体１１２内にドロア１１４がロックされており当該筐体１１２からドロア１１４を引き出すことができないようになっているが、貨幣の入金処理や出金処理等を行う際に、貨幣入出金機１０の制御部１５は、全ての棒金収納庫１１０、１２０、１３０におけるドロア１１４のロックを解除するよう各棒金収納庫１１０、１２０、１３０を制御することができるようになっている。このことにより、各棒金収納庫１１０、１２０、１３０において筐体１１２からドロア１１４を引き出すことができるようになる。なお、本実施の形態による貨幣処理システム１はこのような態様に限定されることはない。他の例として、貨幣の入金処理や出金処理等を行う際に、棒金硬貨が棒金収納部１１５から取り出されたり棒金収納部１１５に収納されたりする予定の棒金収納庫のみにおいてドロア１１４のロックが解除され、他の棒金収納庫ではドロア１１４のロックが解除されないようになっていてもよい。この場合、各棒金収納庫１１０、１２０、１３０のドロア１１４等に表示ランプが設けられており、ロックが解除された棒金収納庫のドロア１１４のみにおいて表示ランプが点灯するようになっていてもよい。ドロア１１４を開放する前の金種別の在高情報と、ドロア１１４を閉じた後の金種別の在高情報とを比較することにより、入金内容あるいは出金内容を把握することができる。例えば、金種別の在高情報が増加していれば、その金種の棒金硬貨が増加分だけ入金されたことがわかる。逆に、金種別の在高情報が減少していれば、その金種の棒金硬貨が減少分だけ取り出されたことがわかる。
【００５９】
次に、このような構成からなる貨幣処理システム１の動作について説明する。
【００６０】
本実施の形態による貨幣処理システム１では、貨幣入出金機１０の在高および各棒金収納庫１１０、１２０、１３０の在高が一括で管理されるようになっている。具体的には、図２に示すように、貨幣入出金機１０および各棒金収納庫１１０、１２０、１３０は互いに通信接続されており、貨幣入出金機１０の制御部１５により、貨幣入出金機１０および各棒金収納庫１１０、１２０、１３０が制御されるようになっており、操作者は、貨幣入出金機１０の操作部４５によって、貨幣入出金機１０および各棒金収納庫１１０、１２０、１３０の両方の操作が可能となる。また、各棒金収納庫１１０、１２０、１３０の機内在高に係る情報がこれらの棒金収納庫１１０、１２０、１３０から貨幣入出金機１０に送信されることにより、貨幣入出金機１０の制御部１５は、各棒金収納庫１１０、１２０、１３０の在高を管理することができる。
【００６１】
本実施の形態による貨幣処理システム１において、貨幣の入金処理を行う際に、一度の取引で貨幣入出金機１０および各棒金収納庫１１０、１２０、１３０の両方へ貨幣を入金することができるようになっている。より詳細には、貨幣の入金処理を行う際に、基本的には紙幣およびバラ硬貨をそれぞれ貨幣入出金機１０の紙幣処理装置２０および硬貨処理装置３０に入金するが、制御部１５が棒金収納庫１１０、１２０、１３０の一部または全部を制御してドロア１１４のロックを解除することにより、各棒金収納庫１１０、１２０、１３０の筐体１１２からドロア１１４を手前側に引き出し、引き出されたドロア１１４の棒金収納部１１５に棒金硬貨を収納した後、ドロア１１４を筐体１１２内に戻すことが可能となり、このようにして棒金硬貨を各棒金収納庫１１０、１２０、１３０に入金することもできる。このとき、貨幣入出金機１０に入金されたバラ硬貨および紙幣と、各棒金収納庫１１０、１２０、１３０に入金された棒金硬貨とを合わせた貨幣が、当該操作者が入金した貨幣として記録・管理される。従って、入金伝票は、バラ硬貨、紙幣および棒金硬貨の入金情報が１枚にまとめて出力される。
【００６２】
また、本実施の形態による貨幣処理システム１において、貨幣の出金処理を行う際に、一度の取引で貨幣入出金機１０および各棒金収納庫１１０、１２０、１３０の両方から貨幣を出金することができるようになっている。より詳細には、貨幣の出金処理を行う際に、基本的には紙幣およびバラ硬貨をそれぞれ貨幣入出金機１０の紙幣処理装置２０および硬貨処理装置３０から出金するが、制御部１５が棒金収納庫１１０、１２０、１３０の一部または全部を制御してドロア１１４のロックを解除することにより、各棒金収納庫１１０、１２０、１３０の筐体１１２からドロア１１４を手前側に引き出し、引き出されたドロア１１４の棒金収納部１１５に収納されている棒金硬貨を取り出すことが可能となり、このようにして棒金硬貨を各棒金収納庫１１０、１２０、１３０から出金することもできる。このとき、貨幣入出金機１０から出金されたバラ硬貨および紙幣と、各棒金収納庫１１０、１２０、１３０から取り出された棒金硬貨とを合わせた貨幣が、当該操作者が出金した貨幣として記録・管理される。従って、出金伝票は、バラ硬貨、紙幣および棒金硬貨の出金情報が１枚にまとめて出力される。
【００６３】
ここで、貨幣の出金処理を行う際に、貨幣入出金機１０における制御部１５に接続された比較手段６０により、出金すべき貨幣の金額と、貨幣入出金機１０から出金された貨幣の金額および各棒金収納庫１１０、１２０、１３０から取り出された棒金硬貨の金額の合計額との比較を行う。ここで、出金すべき貨幣の金額とは、前述したように、貨幣の出金処理を行う際に操作者が最初に操作部４５により制御部１５に入力した出金額のことをいう。なお、この際に、操作者は出金すべき貨幣について金種毎の枚数を操作部４５により制御部１５に入力し、制御部１５において、操作者によって入力された情報に基づいて出金額が自動的に計算されるようになっていてもよい。比較手段６０によって上述のような比較が行われたときに、出金すべき貨幣の金額と、貨幣入出金機１０から出金された貨幣の金額および各棒金収納庫１１０、１２０、１３０から取り出された棒金硬貨の金額の合計額とが一致しなかった場合には、制御部１５においてこの情報が出力されるようになる。具体的には、操作者が各棒金収納庫１１０、１２０、１３０から棒金硬貨を取り出す際に誤った本数の棒金硬貨や誤った金種の棒金硬貨を取り出してしまうと両者の金額が一致しないようになるが、この場合には、両者の金額が一致しなかったという情報が例えば表示部４４に表示されるようになり、操作者は各棒金収納庫１１０、１２０、１３０からの棒金硬貨の取り出しに誤りがあったことを気付くことができるようになる。
【００６４】
また、本実施の形態では、貨幣処理システム１において貨幣の出金処理を行う際に、出金すべき硬貨の中で、所定枚数の倍数の枚数の硬貨を各棒金収納庫１１０、１２０、１３０から出金するとともに、所定枚数未満の枚数の硬貨を貨幣入出金機１０から出金するようになっている。前述したように、「所定枚数」とは、１つの棒金硬貨を作成する際に用いられる硬貨の枚数のことをいい、例えば５０枚である。この場合には、例えば貨幣処理システム１において１０５枚の１００円硬貨を出金する場合に、２本の１００円の棒金硬貨（すなわち、１００枚の１００円硬貨）を各棒金収納庫１１０、１２０、１３０から出金するとともに、５枚の１００円硬貨を貨幣入出金機１０から出金するようになる。ただし、各棒金収納庫１１０、１２０、１３０内の棒金硬貨の在高が足りない場合は、棒金硬貨が足りない分を、貨幣入出金機１０から払い出す。例えば、１０５枚の１００円硬貨を出金する場合に、１００円の棒金硬貨が１本しかない場合は、棒金収納庫１１０、１２０、１３０から１００円の棒金硬貨を１本取り出させるとともに、貨幣入出金機１０から５５枚の１００円硬貨を払い出す。
【００６５】
また、本実施の形態による貨幣処理システム１において、貨幣の回収処理を行う際に、貨幣入出金機１０および各棒金収納庫１１０、１２０、１３０の両方から貨幣を回収するようになっている。より詳細には、貨幣の回収処理を行う際に、例えば売上金の回収業務を委託された警備会社の警備員等の収集特定者によって、貨幣入出金機１０における貨幣収納部４０の各カセット４１、４２が筐体１１の前面側へ引き出され、この収集特定者が各カセット４１、４２自体を回収する。また、制御部１５が棒金収納庫１１０、１２０、１３０の一部または全部を制御してドロア１１４のロックを解除することにより、収集特定者は、各棒金収納庫１１０、１２０、１３０の筐体１１２からドロア１１４を手前側に引き出し、引き出されたドロア１１４の棒金収納部１１５に収納されている棒金硬貨を取り出すことが可能となり、このようにして棒金硬貨を各棒金収納庫１１０、１２０、１３０から回収する。
【００６６】
また、本実施の形態による貨幣処理システム１において、貨幣の補充処理を行う際に、貨幣入出金機１０および各棒金収納庫１１０、１２０、１３０の両方に貨幣を補充するようになっている。より詳細には、貨幣の補充処理を行う際に、紙幣およびバラ硬貨をそれぞれ貨幣入出金機１０の紙幣処理装置２０および硬貨処理装置３０に補充する。また、制御部１５が棒金収納庫１１０、１２０、１３０の一部または全部を制御してドロア１１４のロックを解除することにより、各棒金収納庫１１０、１２０、１３０の筐体１１２からドロア１１４を手前側に引き出し、引き出されたドロア１１４の棒金収納部１１５に棒金硬貨を収納した後、ドロア１１４を筐体１１２内に戻すことが可能となり、このようにして棒金硬貨を各棒金収納庫１１０、１２０、１３０に補充する。また、硬貨の補充処理を行う際に、棒金硬貨の包装を解いてバラ硬貨とし、当該バラ硬貨を貨幣入出金機１０の硬貨処理装置３０に補充してもよい。
【００６７】
また、本実施の形態による貨幣処理システム１において、貨幣の両替処理を行う際に、紙幣からバラ硬貨への両替処理、およびバラ硬貨から紙幣への両替処理は貨幣入出金機１０により行う。一方、バラ硬貨や紙幣から棒金硬貨への両替処理や、棒金硬貨からバラ硬貨や紙幣への両替処理は貨幣処理システム１における貨幣入出金機１０および各棒金収納庫１１０、１２０、１３０の両方を用いて行うようになる。
【００６８】
以上のように本実施の形態の貨幣処理システム１によれば、貨幣入出金機１０および各棒金収納庫１１０、１２０、１３０は互いに通信接続されており、一度の取引で貨幣入出金機１０および棒金収納庫１１０、１２０、１３０の両方から貨幣を出金したり両方に貨幣を入金したりすることができる。このため、硬貨や紙幣の入出金処理を行う際の操作者の負担を軽減することができる。また、各棒金収納庫１１０、１２０、１３０を設けることにより、貨幣入出金機１０単体を用いる場合と比較して、硬貨の収納容量を擬似的に増やすことができる。
【００６９】
また、本実施の形態の貨幣処理システム１では、図１に示すように、３つの棒金収納庫１１０、１２０、１３０はそれぞれ支持ラック１００により一体的に支持されており、縦に積み重ねられた状態で貨幣入出金機１０の上方に配置されるようになっている。このため、貨幣処理システム１が設置されるスペースを小さくすることができる。このような省スペース化は、貨幣処理システム１が飲食店等の店舗に設置される場合にとりわけ有効である。
【００７０】
また、本実施の形態の貨幣処理システム１においては、前述したように、貨幣の出金処理を行う際に、比較手段６０により、出金すべき貨幣の金額と、貨幣入出金機１０から出金された貨幣の金額および各棒金収納庫１１０、１２０、１３０から取り出された棒金硬貨の金額の合計額とを比較するようになっている。また、貨幣の出金処理を行う際に、出金すべき硬貨の中で、所定枚数の倍数の枚数の硬貨を各棒金収納庫１１０、１２０、１３０から出金するとともに所定枚数未満の枚数の硬貨を貨幣入出金機１０から出金するようになっている。
【００７１】
また、本実施の形態の貨幣処理システム１においては、前述したように、貨幣入出金機１０は操作部４５を有しており、該操作部４５により貨幣入出金機１０および各棒金収納庫１１０、１２０、１３０の両方の操作が可能となっている。この場合には、貨幣処理システム１にＰＯＳレジスタや高機能の管理ターミナル等を設置する必要がなくなり、貨幣入出金機１０および各棒金収納庫１１０、１２０、１３０のみの構成で、両方の操作を貨幣入出金機１０の操作部４５により行うことができるようになる。このように、ＰＯＳレジスタや高機能の管理ターミナル等の設置を省略できるため、貨幣処理システム１の設置費用やランニングコストを低減することができる。
【００７２】
〔第２の実施の形態〕
次に、本発明の第２の実施の形態について説明する。なお、以下に示す第２の実施の形態において、上述した第１の実施の形態と同一の内容についてはその説明を省略する。以下に示す第２の実施の形態では、貨幣処理システムにおける貨幣入出金機１０および各棒金収納庫１１０、１２０、１３０の通信接続の方法が異なるのみであり、貨幣入出金機１０や各棒金収納庫１１０、１２０、１３０の構成自体については第１の実施の形態と同様となっている。
【００７３】
図８に示すように、第２の実施の形態に係る貨幣処理システム１ａでは、貨幣入出金機１０および各棒金収納庫１１０、１２０、１３０の管理を行う管理ターミナル１５０が設けられている。より具体的に説明すると、貨幣入出金機１０および各棒金収納庫１１０、１２０、１３０はそれぞれ管理ターミナル１５０に通信接続されており、管理ターミナル１５０により貨幣入出金機１０および各棒金収納庫１１０、１２０、１３０に対して指令を与えることにより、貨幣入出金機１０における紙幣処理装置２０および硬貨処理装置３０の動作を制御したり、各棒金収納庫１１０、１２０、１３０におけるドロア１１４のロックのオンオフを制御したりするようになっている。
【００７４】
このように、図８に示す貨幣処理システム１ａでは、管理ターミナル１５０により貨幣入出金機１０および各棒金収納庫１１０、１２０、１３０の両方の操作が可能となっているため、操作者は管理ターミナル１５０により一度の取引で貨幣入出金機１０および棒金収納庫１１０、１２０、１３０の両方から貨幣を出金したり両方に貨幣を入金したりすることができる。このため、硬貨や紙幣の入出金処理を行う際の操作者の負担を軽減することができる。
【００７５】
〔第３の実施の形態〕
次に、本発明の第３の実施の形態について説明する。なお、以下に示す第３の実施の形態において、上述した第１の実施の形態や第２の実施の形態と同一の内容についてはその説明を省略する。以下に示す第３の実施の形態では、貨幣処理システム１において、機体内に投入された貨幣を売上金として計上して貨幣入出金機１０や各棒金収納庫１１０、１２０、１３０の機体内に収納する入金処理（以下、売上入金処理ともいう）の他に、機体内に投入された貨幣を売上金として計上せず預かり貨幣として貨幣入出金機１０や各棒金収納庫１１０、１２０、１３０の機体内に収納する預け入れ処理を行うことができるようになっている。なお、第３の実施の形態において、貨幣入出金機１０や各棒金収納庫１１０、１２０、１３０の構成自体については第１の実施の形態と同様となっている。
【００７６】
第３の実施の形態の貨幣処理システム１において、売上入金処理の他に預け入れ処理を行うことができるようになっている理由について以下に説明する。本実施の形態における貨幣処理システム１、および紙幣釣銭機および硬貨釣銭機が組み合わせられて一体となった貨幣釣銭機が設置されるような飲食店等の店舗では、昼食時や夕食時等の、貨幣釣銭機において貨幣の入出金処理が頻繁に行われるようなピークタイム（繁忙時期）と、それ以外の時間帯である、貨幣釣銭機において貨幣の入出金が頻繁に行われることのないオフタイム（閑散時期）とがある。ピークタイムでは、釣銭としての紙幣や硬貨が不足しないよう貨幣釣銭機（およびその近く）に紙幣や硬貨をできるだけ多く収納させておくことが望ましい。一方、オフタイムでは、防犯上の理由により、貨幣釣銭機等に収納される紙幣や硬貨の枚数をできるだけ減少させることが望ましい。このため、オフタイムでは、貨幣処理システム１において預かり処理を行うことにより、貨幣入出金機１０や各棒金収納庫１１０、１２０、１３０の機体内に投入された貨幣を売上金として計上せず預かり貨幣として機体内に収納することができるようになるため、貨幣釣銭機等から引き上げてきた余分な紙幣やバラ硬貨、棒金硬貨を貨幣入出金機１０や各棒金収納庫１１０、１２０、１３０の機体内に投入し、これらの貨幣入出金機１０や各棒金収納庫１１０、１２０、１３０内で預かり貨幣として安全に保管することができるようになる。
【００７７】
本実施の形態では、操作者が貨幣入出金機１０を操作する際に、表示部４４には図９に示すような機能選択画面が表示されるようになっている。ここで、操作者が操作部４５により「枚数計数」モードを選択すると、貨幣入出金機１０の紙幣処理装置２０や硬貨処理装置３０において機体内に投入された紙幣や硬貨の枚数が識別部２６、３５ａにより計数され、計数された紙幣や硬貨が紙幣処理装置２０や硬貨処理装置３０から払い出されるようになる。また、操作者が操作部４５により「準備金」モードを選択すると、釣銭準備金としての紙幣や硬貨、棒金硬貨が貨幣入出金機１０や各棒金収納庫１１０、１２０、１３０から出金されるようになる。また、操作者が操作部４５により「回収」「両替」「入金」モードを選択すると、それぞれ貨幣処理システム１において貨幣の回収処理、両替処理、入金処理が行われるようになる。ここで、図９に示す機能選択画面において「入金」モードが選択されることにより貨幣処理システム１において入金処理が行われる場合には、貨幣入出金機１０や各棒金収納庫１１０、１２０、１３０の機体内に投入された貨幣を売上金として計上して各リサイクル式紙幣収納部２７や各リサイクル式硬貨収納部３４、各棒金収納部１１５に収納する。
【００７８】
一方、操作者が操作部４５により「預かり」モードを選択すると、貨幣処理システム１において以下に記載されるような預け入れ処理が行われるようになる。すなわち、貨幣処理システム１において預け入れ処理が行われる場合には、貨幣入出金機１０や各棒金収納庫１１０、１２０、１３０の機体内に投入された貨幣は売上金として計上せず預かり貨幣として各リサイクル式紙幣収納部２７や各リサイクル式硬貨収納部３４、各棒金収納部１１５に収納される。
【００７９】
その後、貨幣入出金機１０の表示部４４に図９に示すような機能選択画面が表示されているときに、操作者が操作部４５により「戻し」モードを選択すると、貨幣処理システム１において以下に記載されるような戻し処理が行われるようになる。すなわち、戻し処理では、上述したような預け入れ処理によって貨幣入出金機１０や各棒金収納庫１１０、１２０、１３０の機体内に収納された預かり貨幣の一部または全部が機体外に返却されるようになる。このことにより、オフタイムでは、貨幣処理システム１において預かり処理を行うことにより、貨幣釣銭機等から引き上げてきた余分な紙幣やバラ硬貨、棒金硬貨を貨幣入出金機１０や各棒金収納庫１１０、１２０、１３０の機体内に投入し、これらの貨幣入出金機１０や各棒金収納庫１１０、１２０、１３０内で預かり貨幣として保管し、ピークタイムになると、貨幣処理システム１において戻し処理を行うことにより、預け入れ処理によって貨幣入出金機１０や各棒金収納庫１１０、１２０、１３０の機体内に収納された預かり貨幣の一部または全部を機体外に返却することにより、貨幣入出金機１０や各棒金収納庫１１０、１２０、１３０から返却された預かり貨幣を貨幣釣銭機等に収納させることができるようになる。このことにより、ピークタイムでは、釣銭としての紙幣や硬貨が不足しないよう貨幣釣銭機等に紙幣や硬貨をできるだけ多く収納させておくことができる。
【００８０】
本実施の形態の貨幣処理システム１では、上述したような預け入れ処理を行う際に、貨幣入出金機１０や各棒金収納庫１１０、１２０、１３０の機体内に投入された預かり貨幣に関する情報と、操作者の識別番号やレジ番号等のＩＤ情報とを紐付けることができるようになっている。この場合には、戻し処理を行う際に、制御部１５に入力されたＩＤ情報に対応する預かり貨幣が出金されるようになる。より詳細に説明すると、上述したような預け入れ処理を行う際に、制御部１５に対して操作者の識別番号やレジ番号等のＩＤ情報を入力手段により入力する。入力手段として、例えば操作部４５やカードリーダ４６が用いられる。すなわち、操作者が操作部４５により操作者の識別番号やレジ番号等のＩＤ情報を入力したり、操作者が携帯するＩＤカードをカードリーダ４６により読み取らせたりすることによって、制御部１５に対して操作者の識別番号やレジ番号等のＩＤ情報が入力されるようになる。そして、制御部１５は、貨幣入出金機１０や各棒金収納庫１１０、１２０、１３０の機体内に投入された貨幣に関する情報と、入力手段によって制御部１５に入力されたＩＤ情報とを紐付けて記憶部４７に記憶させる。
【００８１】
その後、上述した戻し処理を行う際に、図９に示すような機能選択画面において操作者が操作部４５により「戻し」モードを選択するとともに、操作部４５により操作者の識別番号やレジ番号等のＩＤ情報を入力したり、操作者が携帯するＩＤカードをカードリーダ４６により読み取らせたりすることによって、制御部１５にＩＤ情報を入力する。そうすると、記憶部４７に記憶された関係に基づいて、貨幣入出金機１０や各棒金収納庫１１０、１２０、１３０の機体内に収納された預かり貨幣のうち、制御部１５に入力されたＩＤ情報に対応する預かり金に関する情報が表示部４４に表示され、操作部４５によって操作者により承認操作が行われると、貨幣が機体外に返却される。このようにして、操作者別やレジ別に、売上金として計上しない預かり貨幣を貨幣処理システム１に一時的に保管することができる。
【００８２】
また、本実施の形態の貨幣処理システム１では、上述した戻し処理を行う際に、制御部１５にＩＤ情報を入力するような方法の代わりに、貨幣入出金機１０や各棒金収納庫１１０、１２０、１３０の機体内に収納された預かり貨幣の全部を機体外に返却するか、または一部を機体外に返却するかを選択可能となっていてもよい。
【００８３】
また、戻し処理を行う際に、機体外に返却されるべき預かり貨幣について、預け入れ処理における貨幣の金種と枚数の組み合わせとは異なる金種と枚数の組み合わせで機体外に返却可能となっていてもよい。
【００８４】
また、本実施の形態の貨幣処理システム１では、上述した預け入れ処理を行った後、図９に示すような機能選択画面において操作者が操作部４５により「回収」モードを選択することによって貨幣の回収処理を行う場合に、貨幣入出金機１０や各棒金収納庫１１０、１２０、１３０の機体内に収納された預かり貨幣を機体外に返却しないで売上金として計上するようになっている。また、本実施の形態の貨幣処理システム１では、上述した預け入れ処理を行った後、当該預かり貨幣の戻し処理が行われないまま、貨幣処理システム１において締め処理を行う場合に、貨幣入出金機１０や各棒金収納庫１１０、１２０、１３０の機体内に収納された預かり貨幣の全部または一部を機体外に返却するか、あるいは機体外に返却しないで売上金として計上するかを選択可能となっている。
【００８５】
以上のように本実施の形態の貨幣処理システム１によれば、制御部１５は、貨幣入出金機１０や各棒金収納庫１１０、１２０、１３０の機体内に投入された貨幣を売上金として計上して各リサイクル式紙幣収納部２７や各リサイクル式硬貨収納部３４、各棒金収納部１１５に収納する売上入金処理、および貨幣入出金機１０や各棒金収納庫１１０、１２０、１３０の機体内に投入された貨幣を売上金として計上せず預かり貨幣として各リサイクル式紙幣収納部２７や各リサイクル式硬貨収納部３４、各棒金収納部１１５に収納する預け入れ処理を含む複数の処理のうち何れかの処理を選択的に行うようになっている。このことにより、本実施の形態における貨幣処理システム１、および紙幣釣銭機および硬貨釣銭機が組み合わせられて一体となった貨幣釣銭機が設置されるような飲食店等の店舗において、オフタイムでは、貨幣処理システム１において預かり処理を行うことにより、貨幣釣銭機等から引き上げてきた余分な紙幣やバラ硬貨、棒金硬貨を貨幣入出金機１０や各棒金収納庫１１０、１２０、１３０の機体内に投入し、これらの貨幣入出金機１０や各棒金収納庫１１０、１２０、１３０内で預かり貨幣として安全に保管することができるようになる。このことによって、貨幣釣銭機等に収納される紙幣や硬貨の枚数をできるだけ減少させることができ、飲食店等の店舗の防盗性を高めることができる。一方、ピークタイムでは、釣銭としての紙幣や硬貨が不足しないよう貨幣釣銭機等に紙幣や硬貨をできるだけ多く収納させておくことができる。また、オフタイムとなったときに店舗の売り場にある紙幣やバラ硬貨、棒金硬貨を貨幣入出金機１０や各棒金収納庫１１０、１２０、１３０に入金した場合に、これらの貨幣入出金機１０や各棒金収納庫１１０、１２０、１３０の機体内に投入された貨幣は売上金として計上せず預かり貨幣として機体内に収納されるので、管理データと実際の貨幣の状態とが一致しなくなってしまうというトラブルの発生を防止することができる。
【００８６】
また、本実施の形態の貨幣処理システム１は、貨幣釣銭機が設置されずに釣銭準備金をドロア等に保管する店舗でも活用することができる。すなわち、オフタイムでは、防犯上の理由により、店舗の売り場にある紙幣や硬貨の枚数をできるだけ減少させることが望ましい。このため、オフタイムでは、店舗の売り場にある紙幣や硬貨を貨幣入出金機１０や各棒金収納庫１１０、１２０、１３０に入金することにより、セキュリティ性を高めることができる。また、この際に、貨幣処理システム１において、機体内に投入された貨幣は売上金として計上せず預かり貨幣として機体内に収納されるので、管理データと実際の貨幣の状態とが一致しなくなってしまうというトラブルの発生を防止することができる。
【００８７】
また、本実施の形態の貨幣処理システム１においては、前述したように、制御部１５は、戻し指令が与えられたときに、預け入れ処理によって貨幣入出金機１０や各棒金収納庫１１０、１２０、１３０の機体内に収納された預かり貨幣の少なくとも一部を機体外に返却する戻し処理を行うようになっている。
【００８８】
また、本実施の形態の貨幣処理システム１においては、制御部１５は、預け入れ処理を行う際に、機体内に投入された貨幣に関する情報と、操作部４５やカードリーダ４６等の入力手段により入力されたＩＤ情報とを紐付けて記憶部４７に記憶させるようになっている。そして、このような貨幣処理システム１では、戻し処理を行う際に、戻し指令が制御部１５に与えられるとともに入力手段によりＩＤ情報が入力されたときに、記憶部４７に記憶された関係に基づいて、貨幣入出金機１０や各棒金収納庫１１０、１２０、１３０の機体内に収納された預かり貨幣のうち入力手段により入力されたＩＤ情報に対応する貨幣が機体外に返却されるようになっている。
【００８９】
なお、本実施の形態では、貨幣処理システム１において各棒金収納庫１１０、１２０、１３０を必ずしも設置する必要がない。すなわち、貨幣入出金機１０単体でも、上述した動作が実施可能である。
【００９０】
〔第４の実施の形態〕
次に、本発明の第４の実施の形態について説明する。なお、以下に示す第４の実施の形態において、上述した第１乃至第３の実施の形態と同一の内容についてはその説明を省略する。以下に示す第４の実施の形態では、貨幣処理システム１において、貨幣釣銭機で用いられる釣銭準備金として所定の合計金額の紙幣や硬貨を出金する際に、機内在高を考慮して釣銭準備金として出金される紙幣や硬貨の金種毎の枚数を柔軟に変更できるようになっている。なお、第４の実施の形態において、貨幣処理システム１における貨幣入出金機１０や各棒金収納庫１１０、１２０、１３０自体の構成については第１の実施の形態と同様となっている。
【００９１】
本実施の形態の貨幣処理システム１では、釣銭準備金として所定の合計金額の紙幣や硬貨を出金する際に、貨幣入出金機１０の制御部１５は、貨幣入出金機１０や各棒金収納庫１１０、１２０、１３０の機体内に収納された紙幣や硬貨の金種毎の枚数に基づいて、出金される紙幣や硬貨の金種毎の枚数を設定するようになっている。このような制御部１５による設定方法の詳細について図１０を用いて説明する。図１０では、釣銭準備金として合計金額が５０，０００円である紙幣や硬貨を貨幣処理システム１から出金する場合における、出金される紙幣や硬貨の金種毎の設定枚数を示している。
【００９２】
本実施の形態の貨幣処理システム１では、釣銭準備金として出金される貨幣に関して、貨幣入出金機１０の記憶部４７に、貨幣の金種毎の基準枚数が記憶されるようになっている。具体的には、図１０（ａ）における「基準」の欄に示すように、例えば、５０００円札が１枚、１０００円札が１０枚、５００円硬貨が２０枚、１００円硬貨が１５０枚、５０円硬貨が５０枚、１０円硬貨が１５０枚、５円硬貨が５０枚、１円硬貨が１５０枚、それぞれ基準枚数として設定されており、貨幣処理システム１から釣銭準備金としての紙幣や硬貨を出金する際に、この基準枚数分の紙幣や硬貨が優先的に出金されるようになる。なお、記憶部４７に記憶される紙幣や硬貨の金種毎の基準枚数は、操作者が例えば貨幣入出金機１０の操作部４５等で変更可能となっている。
【００９３】
また、図１０（ａ）における「優先」の欄に示すように、紙幣や硬貨の各金種について優先順位が設定されている。この優先順位は、貨幣処理システム１の貨幣入出金機１０や各棒金収納庫１１０、１２０、１３０に残したい紙幣や硬貨の金種の順番となっている。すなわち、図１０（ａ）に示す表によれば、１０円硬貨、１円硬貨、１００円硬貨の優先順位が高くなっているが、その理由について以下に説明する。すなわち、１円硬貨、１０円硬貨および１００円硬貨は、貨幣釣銭機において釣銭として頻繁に用いられるようになっているため、貨幣処理システム１における貨幣入出金機１０や各棒金収納庫１１０、１２０、１３０から釣銭準備金としての紙幣や硬貨を出金する際にこれらの金種の硬貨の機内在高が少ない場合には、当該金種の硬貨についてできるだけ出金枚数を少なくする必要がある。なぜならば、次回以降の釣銭準備金（他の貨幣釣銭機用や売り場用であることが多い）としての貨幣の出金時に、これらの金種の硬貨の出金枚数が不足してしまうことをできるだけ防止しなければならないからである。このようにして、貨幣処理システム１の貨幣入出金機１０や各棒金収納庫１１０、１２０、１３０に残したい紙幣や硬貨の金種の順番が予め設定されており、このような紙幣や硬貨の各金種についての優先順位に関する情報は例えば貨幣入出金機１０の記憶部４７に記憶されるようになっている。なお、記憶部４７に記憶される紙幣や硬貨の各金種についての優先順位は、操作者が例えば貨幣入出金機１０の操作部４５等で変更可能となっている。
【００９４】
本実施の形態の貨幣処理システム１では、釣銭準備金として所定の合計金額の紙幣や硬貨を出金する際に、記憶部４７に記憶された金種毎の基準枚数に係る紙幣や硬貨を優先して出金し、残りの金額について、貨幣処理システム１の貨幣入出金機１０や各棒金収納庫１１０、１２０、１３０に収納されている紙幣や硬貨の金種毎の枚数、および記憶部４７に記憶された紙幣や硬貨の各金種についての優先順位に基づいて、出金される紙幣や硬貨の金種毎の枚数を設定するようになっている。具体的には、貨幣処理システム１の貨幣入出金機１０や各棒金収納庫１１０、１２０、１３０における紙幣や硬貨の金種毎の収納枚数が図１０（ａ）における「収納枚数」の欄の値となっている場合には、まず、金種毎の基準枚数に係る紙幣や硬貨（合計４４，４００円分の紙幣や硬貨）が優先して出金され、残りの金額（５，６００円）について、貨幣処理システム１の貨幣入出金機１０や各棒金収納庫１１０、１２０、１３０に収納されている紙幣や硬貨の金種毎の枚数、および記憶部４７に記憶された紙幣や硬貨の各金種についての優先順位に基づいて、例えば５０００円札が１枚、５００円硬貨が１枚、５０円硬貨が２枚というように、出金される紙幣や硬貨の金種毎の枚数が設定される。この場合には、図１０（ａ）における「残り枚数」の欄に示すように、紙幣や硬貨の各金種について、残り枚数が０とはならない。
【００９５】
その後、貨幣処理システム１の貨幣入出金機１０や各棒金収納庫１１０、１２０、１３０における紙幣や硬貨の金種毎の収納枚数が図１０（ｂ）における「収納枚数」の欄の値となっている場合には、まず、金種毎の基準枚数に係る紙幣や硬貨（合計４４，４００円分の紙幣や硬貨）が優先して出金されるが、残りの金額（５，６００円）について、もし仮に記憶部４７に記憶された紙幣や硬貨の各金種についての優先順位に基づいて、出金される紙幣や硬貨の金種毎の枚数を設定すると、収納枚数が足りずに不足してしまう金種の紙幣や硬貨が生じてしまう。具体的には、１００円硬貨、５０円硬貨、１円硬貨については収納枚数が足りずに不足してしまう。このため、貨幣処理システム１の貨幣入出金機１０や各棒金収納庫１１０、１２０、１３０に収納されている枚数に余裕がある金種の紙幣や硬貨を、より多く釣銭準備金として出金させるようにする。すなわち、残りの金額（５，６００円）について、例えば５０００円札が１枚、５００円硬貨が１枚、５０円硬貨が１枚、５円硬貨が１０枚というように、出金される紙幣や硬貨の金種毎の枚数が設定される。このようにして、図１０（ａ）（ｂ）を参照してもわかるように、基準枚数および優先順位が同じ場合でも、貨幣処理システム１の貨幣入出金機１０や各棒金収納庫１１０、１２０、１３０に収納されている紙幣や硬貨の金種毎の枚数によって、釣銭準備金として貨幣処理システム１から出金される紙幣や硬貨の金種毎の枚数が変わることがある。
【００９６】
また、本実施の形態では、図１０（ａ）（ｂ）に示すように釣銭準備金として貨幣処理システム１から出金される紙幣や硬貨の金種毎の枚数を設定した後、操作者は操作部４５により設定枚数を修正することができるようになっている。このように、釣銭準備金として貨幣処理システム１から出金される紙幣や硬貨の金種毎の設定枚数について手動で微調整を行うことにより、貨幣処理システム１における貨幣入出金機１０や各棒金収納庫１１０、１２０、１３０の在高の実情等に基づいてより柔軟な運用が可能となる。
【００９７】
以上のように本実施の形態による貨幣処理システム１によれば、釣銭準備金として所定の合計金額の紙幣や硬貨を出金する際に、貨幣入出金機１０の制御部１５は、貨幣入出金機１０や各棒金収納庫１１０、１２０、１３０に収納された紙幣や硬貨の金種毎の枚数に基づいて、出金される紙幣や硬貨の金種毎の枚数を設定するようになっている。このため、貨幣入出金機１０や各棒金収納庫１１０、１２０、１３０の機内在高を考慮して釣銭準備金として出金される貨幣の金種毎の枚数を柔軟に変更できる。例えば、貨幣釣銭機において釣銭として頻繁に用いられる１円硬貨、１０円硬貨および１００円硬貨に関して、貨幣処理システム１から釣銭準備金としての貨幣を出金する際にこれらの金種の硬貨の機内在高が少ない場合には、当該金種の硬貨についてできるだけ出金枚数を少なくすることができる。このことにより、次回以降の釣銭準備金としての貨幣の出金時に、これらの金種の硬貨の出金枚数が不足してしまうことを防止することができる。
【００９８】
また、本実施の形態による貨幣処理システム１は、貨幣釣銭機が設置されずに釣銭準備金をドロア等に保管する店舗でも活用することができる。すなわち、貨幣処理システム１から所定の合計金額の貨幣を出金する際に、出金される貨幣の金種毎の枚数は予め設定されており、１金種でも貨幣処理システム１の機内在高（枚数）が設定枚数を下回ると、当該取引およびそれ以降の出金処理を行うことができないようになっている場合がある。この場合には、特定の金種の貨幣、例えば１円硬貨、１０円硬貨および１００円硬貨が店舗の売り場において例えば釣銭として頻繁に使用される場合には、貨幣処理システム１から貨幣を出金する際にこれらの金種の硬貨の機内在高が少ない場合には、当該金種の硬貨についてできるだけ出金枚数を少なくする必要がある。これに対して、本実施の形態による貨幣処理システム１では、貨幣入出金機１０や各棒金収納庫１１０、１２０、１３０に収納された紙幣や硬貨の金種毎の枚数に基づいて、出金される紙幣や硬貨の金種毎の枚数を設定することができるため、貨幣処理システム１における次回以降の貨幣の出金時に、これらの金種の硬貨の出金枚数が不足してしまうことを防止することができる。
【００９９】
なお、本実施の形態による貨幣処理システム１は、上記の態様に限定されるものではなく、様々の変更を加えることができる。
【０１００】
例えば、上記の態様では、制御部１５は、釣銭準備金として所定の合計金額の紙幣や硬貨を出金する際に、記憶部４７に記憶された金種毎の基準枚数に係る紙幣や硬貨を優先して出金し、残りの金額について、貨幣処理システム１の貨幣入出金機１０や各棒金収納庫１１０、１２０、１３０に収納されている紙幣や硬貨の金種毎の枚数、および記憶部４７に記憶された紙幣や硬貨の各金種についての優先順位に基づいて、出金される紙幣や硬貨の金種毎の枚数を設定するようになっているが、このような動作に制限されることはない。例えば、記憶部４７には、紙幣や硬貨の金種毎の基準枚数が記憶されるが、紙幣や硬貨の金種の優先順位は記憶されないようになっていてもよい。この場合には、制御部１５は、釣銭準備金として所定の合計金額の紙幣や硬貨を出金する際に、記憶部４７に記憶された金種毎の基準枚数に係る紙幣や硬貨を優先して出金し、残りの金額について、貨幣処理システム１の貨幣入出金機１０や各棒金収納庫１１０、１２０、１３０に収納されている紙幣や硬貨の金種毎の枚数に基づいて、出金される紙幣や硬貨の金種毎の枚数を設定するようになる。具体的には、例えば、貨幣処理システム１の貨幣入出金機１０や各棒金収納庫１１０、１２０、１３０における紙幣や硬貨の金種毎の収納枚数が図１０（ａ）に示す状態となっている場合には、まず、金種毎の基準枚数に係る紙幣や硬貨（合計４４，４００円分の紙幣や硬貨）が優先して出金され、残りの金額（５，６００円）について、貨幣処理システム１の貨幣入出金機１０や各棒金収納庫１１０、１２０、１３０に収納されている紙幣や硬貨の金種毎の枚数が多い順に、出金される紙幣や硬貨の金種毎の枚数が設定されるようになる。
【０１０１】
また、記憶部４７には、紙幣や硬貨の金種の優先順位が記憶されるが、紙幣や硬貨の金種毎の基準枚数は記憶されないようになっていてもよい。この場合には、制御部１５は、釣銭準備金として所定の合計金額の紙幣や硬貨を出金する際に、貨幣処理システム１の貨幣入出金機１０や各棒金収納庫１１０、１２０、１３０に収納されている紙幣や硬貨の金種毎の枚数、および記憶部４７に記憶された紙幣や硬貨の各金種についての優先順位に基づいて、出金される紙幣や硬貨の金種毎の枚数を設定するようになる。具体的には、例えば、貨幣処理システム１の貨幣入出金機１０や各棒金収納庫１１０、１２０、１３０における紙幣や硬貨の金種毎の収納枚数が図１０（ａ）に示す状態となっている場合には、釣銭準備金として出金されるべき所定の合計金額（５０，０００円）について、貨幣処理システム１の貨幣入出金機１０や各棒金収納庫１１０、１２０、１３０に収納されている紙幣や硬貨の金種毎の枚数、および記憶部４７に記憶された紙幣や硬貨の各金種についての優先順位に基づいて、優先順位が低い金種の紙幣や硬貨をできるだけ多く出金するよう、紙幣や硬貨の金種毎の枚数が設定される。
【０１０２】
また、更に他の態様では、制御部１５は、釣銭準備金として所定の合計金額の紙幣や硬貨を出金する際に、紙幣や硬貨の金種毎の基準枚数や紙幣や硬貨の金種の優先順位を考慮することなく、貨幣処理システム１の貨幣入出金機１０や各棒金収納庫１１０、１２０、１３０に収納されている紙幣や硬貨の金種毎の枚数のみに基づいて、出金される紙幣や硬貨の金種毎の枚数を設定するようになっていてもよい。
【０１０３】
また、本実施の形態では、貨幣処理システム１において各棒金収納庫１１０、１２０、１３０を必ずしも設置する必要がない。すなわち、貨幣入出金機１０単体でも、上述した動作が実施可能である。
【符号の説明】
【０１０４】
１、１ａ  貨幣処理システム
１０  貨幣入出金機
１１  筐体
１５  制御部
２０  紙幣処理装置
２１  紙幣投入口
２２  紙幣リジェクト口
２３  紙幣返却口
２４  扉
２５  搬送部
２６  識別部
２７、２７ａ〜２７ｃ  リサイクル式紙幣収納部
２７ｐ  ドラム
２８  紙幣ステージ
２９  紙幣保留部
３０  硬貨処理装置
３１  硬貨投入口
３２  硬貨返却口
３３  硬貨繰出部
３４、３４ａ〜３４ｆ  リサイクル式硬貨収納部
３５  搬送部
３５ａ  識別部
３６  選別孔
３７ａ  硬貨保留部
３７ｂ  シュート
３８  横方向搬送部
３８ａ  循環ベルト
３９  金種別硬貨一時保留部
４０  貨幣収納部
４１  紙幣収納カセット
４２  硬貨収納カセット
４３  プリンタ
４４  表示部
４５  操作部
４６  カードリーダ
４７  記憶部
４８  インターフェース
６０  比較手段
１００  支持ラック
１１０、１２０、１３０  棒金収納庫
１１２  筐体
１１４  ドロア
１１５  棒金収納部
１１６  電源スイッチカバー
１５０  管理ターミナル
【図１】
2014026339.tif 000003
【図２】
2014026339.tif 000004
【図３】
2014026339.tif 000005
【図４】
2014026339.tif 000006
【図５】
2014026339.tif 000007
【図６】
2014026339.tif 000008
【図７】
2014026339.tif 000009
【図８】
2014026339.tif 000010
【図９】
2014026339.tif 000011
【図１０】
2014026339.tif 000012